(57)【要約】【課題】本発明は、レンズユニットを提供する。【解決手段】レンズユニットは、第１台座、レンズ、第１記憶合金線と第２記憶合金線を備え、レンズは、第１台座に摺動可能に取り付けられ、第１台座は、レンズの一方側に設けられる第１側板と、レンズの他方側に設けられる第２側板とを備え、第１記憶合金線は、一端が第１側板に接続され、他端がレンズに接続され、第２記憶合金線は、一端が第２側板に接続され、他端がレンズに接続され、第１と第２記憶合金線は、何れもレンズの光軸に垂直に設けられている。本発明のレンズユニットでは、第１記憶合金線と第２記憶合金線が通電されて変形してレンズを駆動して第１側板と第２側板の間で往復移動させることで光学防振を図り、磁界干渉問題がなく、安定性が高く、また、当該駆動の設置方式では、構造が簡単であり、実装が便利であり、ホール素子を別途追加する必要がなく、特殊な環境における使用信頼性が高い。【選択図】図１
2021520510.tif 000002
【特許請求の範囲】
【請求項１】
レンズユニットであって、
第１台座と、レンズと、第１記憶合金線と、第２記憶合金線とを備え、
前記レンズは、前記第１台座に摺動可能に取り付けられ、前記第１台座は、第１底板と、前記第１底板に接続されて前記レンズの一方側に設けられる第１側板と、前記第１底板に接続されて前記レンズの他方側に設けられる第２側板とを備え、前記第１記憶合金線は、一端が前記第１側板に接続され、他端が前記レンズに接続され、前記第２記憶合金線は、一端が前記第２側板に接続され、他端が前記レンズに接続され、前記第１記憶合金線と前記第２記憶合金線は、何れも前記レンズの光軸に垂直に設けられていることを特徴とするレンズユニット。
【請求項２】
前記第１記憶合金線は、前記第２記憶合金線に対して間隔を空けて平行に設けられ、前記第１記憶合金線は、一端が前記第１側板の前記第１底板から離間する側に接続され、他端が前記レンズの前記第２側板に近接する側に接続され、前記第２記憶合金線は、一端が前記第２側板の前記第１底板から離間する側に接続され、他端が前記レンズの前記第１側板に近接する側に接続されていることを特徴とする請求項１に記載のレンズユニット。
【請求項３】
前記レンズユニットは、２つの第１接続端子と２つの第２接続端子とを更に備え、２つの第１接続端子のうち、一方の第１接続端子が前記第１側板の前記第１底板から離間する側に接続され、他方の第１接続端子が前記レンズの前記第２側板に近接する側に接続され、前記第１記憶合金線の両端がそれぞれ２つの前記第１接続端子に接続され、２つの第２接続端子のうち、一方の第２接続端子が前記第２側板の前記第１底板から離間する側に接続され、他方の第２接続端子が前記レンズの前記第１側板に近接する側に接続され、前記第２記憶合金線の両端がそれぞれ２つの前記第２接続端子に接続されていることを特徴とする請求項２に記載のレンズユニット。
【請求項４】
前記レンズユニットは、前記レンズと前記第１台座との間に設けられる第１ボールを更に備え、前記レンズは、前記第１ボールを介して前記第１台座に摺動自在に接続されていることを特徴とする請求項１に記載のレンズユニット。
【請求項５】
前記第１側板と前記第２側板との何れにも、第１凹溝が設けられ、前記レンズの互いに対向する両側には、互いに逆方向で第１凸出部が突設され、２つの前記第１凸出部は、それぞれ２つの前記第１凹溝内に嵌設され、各前記第１凹溝は、光軸方向に沿って間隔を空けて設けられる第１側面と第２側面とを含み、各第１凸出部は、前記第１側面に対向設置される第１表面と、前記第２側面に対向設置される第２表面とを含み、前記第１側面には、第１ガイド溝が凹設され、前記第１表面には、前記第１ガイド溝に位置合わせるように設置される第２ガイド溝が凹設され、前記第１ガイド溝と前記第２ガイド溝との間には、少なくとも１つの前記第１ボールが嵌設されていることを特徴とする請求項４に記載のレンズユニット。
【請求項６】
前記第１凸出部は、前記第２表面の所在する側において第１磁性鋼が設けられ、前記第１凹溝は、前記第２側面の所在する側において前記第１磁性鋼に位置合わせるように設置される第２磁性鋼が設けられていることを特徴とする請求項５に記載のレンズユニット。
【請求項７】
前記レンズユニットは、第２台座、第１弾性部材、第２弾性部材、第３記憶合金線および第４記憶合金線を更に備え、前記第２台座は、第２底板、前記第２底板の一方側に設けられる第３側板と、前記第２底板の他方側に設けられる第４側板とを備え、前記第２底板、前記第３側板および前記第４側板は、第２取付溝を形成するように取り囲み、前記第１台座は、前記第３記憶合金線、前記第４記憶合金線、前記第１弾性部材および前記第２弾性部材を介して、光軸方向に沿って往復移動可能であるように前記第２取付溝内に取り付けられていることを特徴とする請求項１から６の何れか一項に記載のレンズユニット。
【請求項８】
前記第１側板及び前記第３側板は、前記レンズの一方側に位置し、前記第２側板及び前記第４側板は、前記レンズの他方側に位置し、前記第３記憶合金線は、光軸方向に沿って延在し、且つその両端がそれぞれ前記第１側板、前記第３側板に固定接続され、前記第１弾性部材は、前記光軸方向に平行な方向に沿って前記第１側板と前記第３側板との間に設けられ、前記第４記憶合金線は、光軸方向に沿って延在し、且つその両端がそれぞれ前記第２側板、前記第４側板に固定接続され、前記第２弾性部材は、前記光軸方向に平行な方向に沿って前記第２側板と前記第４側板との間に設けられていることを特徴とする請求項７に記載のレンズユニット。
【請求項９】
前記レンズユニットは、前記第１台座と前記第２台座との間に設けられる第２ボールを更に備え、前記第２台座は、前記第２ボールを介して前記第１台座に摺動自在に接続されていることを特徴とする請求項７に記載のレンズユニット。
【請求項１０】
前記第１側板の外側壁には、前記第３側板を収容するための第１収容溝が凹設され、前記第３側板の前記第２底板から離間する側には、第３磁性鋼が設けられ、前記第１側板の前記第３磁性鋼に対向する面には、前記第３磁性鋼に位置合わせるように設置される第４磁性鋼が設けられ、及び／又は、
前記第２側板の外側壁には、前記第４側板を収容するための第２収容溝が凹設され、前記第４側板の前記第２底板から離間する側には、第５磁性鋼が設けられ、前記第２側板の前記第５磁性鋼に対向する面には、前記第５磁性鋼に位置合わせるように設置される第６磁性鋼が設けられていることを特徴とする請求項７に記載のレンズユニット。
【発明の詳細な説明】
【技術分野】
【０００１】
本発明は、レンズ光学結像技術分野に関し、特にレンズユニットに関する。
【背景技術】
【０００２】
近年、スマートフォン、タブレットＰＣのような携帯型端末機器には、高性能のレンズモジュールが装備されている。当該高性能のレンズモジュールは、一般的にオートフォーカス機能(ａｕｔｏ ｆｏｃｕｓｉｎｇ)及び光学防振機能(ＯＩＳ：ｏｐｔｉｃａｌ ｉｍａｇｅ ｓｔａｂｉｌｉｚａｔｉｏｎ)を持つ。
【０００３】
従来のカメラレンズモジュールの光学防振機能は、ホールセンサ(ｈａｌｌ ｓｅｎｓｏｒ)によってＯＩＳブラケットと光軸とのずれを検知し、ＯＩＳコイルへ電流を投入し、ＯＩＳコイルと磁石との連携によってＯＩＳブラケットと光軸についてずれの発生を阻止し、元の位置に復帰させるものである。当該実施形態のレンズモジュールは、電磁力の作用の下で移動するため、磁界の干渉を受けやすく、且つホール素子を別途追加して鏡筒のブレ状況を検出する必要があり、特殊な環境における信頼性が不良である。また、防振構造は、ＯＩＳコイル及び磁石を含み、全体構造が複雑であり、コストが高騰であり、重量も大きい。更に、ＯＩＳコイルに大きな電流が通電されるこそ、磁石を駆動してＯＩＳブラケットと光軸とのずれの発生を阻止させるような、大きな電磁力を初めて生成可能であり、消費電力が高い。このように、従来のレンズモジュールの光学防振構造は、軽量化、低消費電力、低コスト及び高信頼性という市場の要求を満足することができない。
【０００４】
したがって、上記問題を解決すべく、新たなカメラレンズモジュールを提供する必要がある。
【発明の概要】
【発明が解決しようとする課題】
【０００５】
本発明の目的は、磁界干渉が小さく、構造が簡単であり、実装が便利であり、安定性が高いレンズユニットを提供することである。
【課題を解決するための手段】
【０００６】
本発明の目的は、下記の解決手段で実現される。
【０００７】
本発明は、レンズユニットを提供する。当該レンズユニットは、第１台座と、レンズと、第１記憶合金線と、第２記憶合金線とを備え、前記レンズは、前記第１台座に摺動可能に取り付けられ、前記第１台座は、第１底板と、前記第１底板に接続されて前記レンズの一方側に設けられる第１側板と、前記第１底板に接続されて前記レンズの他方側に設けられる第２側板とを備え、前記第１記憶合金線は、一端が前記第１側板に接続され、他端が前記レンズに接続され、前記第２記憶合金線は、一端が前記第２側板に接続され、他端が前記レンズに接続され、前記第１記憶合金線と前記第２記憶合金線は、何れも前記レンズの光軸に垂直に設けられている。
【０００８】
改良方式の１つとして、前記第１記憶合金線は、前記第２記憶合金線に対して間隔を空けて平行に設けられ、前記第１記憶合金線は、一端が前記第１側板の前記第１底板から離間する側に接続され、他端が前記レンズの前記第２側板に近接する側に接続され、前記第２記憶合金線は、一端が前記第２側板の前記第１底板から離間する側に接続され、他端が前記レンズの前記第１側板に近接する側に接続されている。
【０００９】
改良方式の１つとして、前記レンズユニットは、２つの第１接続端子と２つの第２接続端子とを更に備え、２つの第１接続端子のうち、一方の第１接続端子が前記第１側板の前記第１底板から離間する側に接続され、他方の第１接続端子が前記レンズの前記第２側板に近接する側に接続され、前記第１記憶合金線の両端がそれぞれ２つの前記第１接続端子に接続され、２つの第２接続端子のうち、一方の第２接続端子が前記第２側板の前記第１底板から離間する側に接続され、他方の第２接続端子が前記レンズの前記第１側板に近接する側に接続され、前記第２記憶合金線の両端がそれぞれ２つの前記第２接続端子に接続されている。
【００１０】
改良方式の１つとして、前記レンズユニットは、前記レンズと前記第１台座との間に設けられる第１ボールを更に備え、前記レンズは、前記第１ボールを介して前記第１台座に摺動自在に接続されている。
【００１１】
改良方式の１つとして、前記第１側板と前記第２側板との何れにも、第１凹溝が設けられ、前記レンズの互いに対向する両側には、互いに逆方向で第１凸出部が突設され、２つの前記第１凸出部は、それぞれ２つの前記第１凹溝内に嵌設され、各前記第１凹溝は、光軸方向に沿って間隔を空けて設けられる第１側面と第２側面とを含み、各第１凸出部は、前記第１側面に対向設置される第１表面と、前記第２側面に対向設置される第２表面とを含み、前記第１側面には、第１ガイド溝が凹設され、前記第１表面には、前記第１ガイド溝に位置合わせるように設置される第２ガイド溝が凹設され、前記第１ガイド溝と前記第２ガイド溝との間には、少なくとも１つの前記第１ボールが嵌設されている。
【００１２】
改良方式の１つとして、前記第１凸出部は、前記第２表面の所在する側において第１磁性鋼が設けられ、前記第１凹溝は、前記第２側面の所在する側において前記第１磁性鋼に位置合わせるように設置される第２磁性鋼が設けられている。
【００１３】
改良方式の１つとして、前記レンズユニットは、第２台座、第１弾性部材、第２弾性部材、第３記憶合金線および第４記憶合金線を更に備え、前記第２台座は、第２底板、前記第２底板の一方側に設けられる第３側板と、前記第２底板の他方側に設けられる第４側板とを備え、前記第２底板、前記第３側板および前記第４側板は、第２取付溝を形成するように取り囲み、前記第１台座は、前記第３記憶合金線、前記第４記憶合金線、前記第１弾性部材および前記第２弾性部材を介して、光軸方向に沿って往復移動可能であるように前記第２取付溝内に取り付けられている。
【００１４】
改良方式の１つとして、前記第１側板及び前記第３側板は、前記レンズの一方側に位置し、前記第２側板及び前記第４側板は、前記レンズの他方側に位置し、前記第３記憶合金線は、光軸方向に沿って延在し、且つその両端がそれぞれ前記第１側板、前記第３側板に固定接続され、前記第１弾性部材は、前記光軸方向に平行な方向に沿って前記第１側板と前記第３側板との間に設けられ、前記第４記憶合金線は、光軸方向に沿って延在し、且つその両端がそれぞれ前記第２側板、前記第４側板に固定接続され、前記第２弾性部材は、前記光軸方向に平行な方向に沿って前記第２側板と前記第４側板との間に設けられている。
【００１５】
改良方式の１つとして、前記レンズユニットは、前記第１台座と前記第２台座との間に設けられる第２ボールを更に備え、前記第２台座は、前記第２ボールを介して前記第１台座に摺動自在に接続されている。
【００１６】
改良方式の１つとして、前記第１側板の外側壁には、前記第３側板を収容するための第１収容溝が凹設され、前記第３側板の前記第２底板から離間する側には、第３磁性鋼が設けられ、前記第１側板の前記第３磁性鋼に対向する面には、前記第３磁性鋼に位置合わせるように設置される第４磁性鋼が設けられ、及び／又は、
前記第２側板の外側壁には、前記第４側板を収容するための第２収容溝が凹設され、前記第４側板の前記第２底板から離間する側には、第５磁性鋼が設けられ、前記第２側板の前記第５磁性鋼に対向する面には、前記第５磁性鋼に位置合わせるように設置される第６磁性鋼が設けられている。
【発明の効果】
【００１７】
本発明の実施形態は、従来技術よりも、第１記憶合金線と第２記憶合金線が通電されて変形してレンズを駆動して第１側板と第２側板の間で往復移動させることで光学防振を図り、ボイスコイルと磁性鋼との相互作用によって駆動するという従来の方式を必要とせず、磁界干渉問題がなく、安定性が高く、また、当該駆動の設置方式では、構造が簡単であり、実装が便利であり、ホール素子を別途追加する必要がなく、特殊な環境における使用信頼性が高い。そして、磁石と防振コイルとが連携する従来の防振構造よりも、本実施例は、第１記憶合金線及び第２記憶合金線を採用するため、重量及びコストを著しく低減可能である。また、磁石と防振コイルとが連携する従来の防振構造よりも、本実施例で採用される第１記憶合金線と第２記憶合金線とに僅かな電流を流すだけでレンズを引っ張り可能であり光学防振の効果を奏し、消費電力を効果的に低減する。
【図面の簡単な説明】
【００１８】
【図１】本発明の実施例に係るレンズユニットの構造模式図である。
【図２】本発明の実施例に係るレンズと第１台座との第１視野角での構造模式図である。
【図３】本発明の実施例に係るレンズと第１台座との第２視野角での構造模式図である。
【図４】本発明の実施例に係る第１台座と第２台座との係合状態の第１視野角での構造模式図である。
【図５】本発明の実施例に係る第１台座と第２台座との係合状態の第２視野角での構造模式図である。
【図６】本発明の実施例に係る第１台座と第２台座との分解状態の第１視野角での構造模式図である。
【図７】本発明の実施例に係る第１台座の第１視野角での構造模式図である。
【図８】本発明の実施例に係る第１台座と第２台座との分解状態の第２視野角での構造模式図である。
【図９】本発明の実施例に係る第１台座の第２視野角での構造模式図である。
【発明を実施するための形態】
【００１９】
以下では、図面及び実施形態を組み合わせて本発明を更に説明する。
【００２０】
図１−３を参照すると、本発明の実施例は、レンズユニット１００を提供する。レンズユニット１００は、第１台座１１、レンズ１３、第１記憶合金線１４および第２記憶合金線１５を備え、レンズ１３は、第１台座１１に摺動可能に取り付けられている。第１台座１１は、第１底板１１１と、第１底板１１１の一方側に設けられる第１側板１１２と、第１底板１１１の他方側に設けられる第２側板１１３とを備え、第１底板１１１、第１側板１１２および第２側板１１３は、第１取付溝１１４を形成するように取り囲み、レンズ１３は、第１取付溝１１４内に取り付けられ、第１側板１１２と第２側板１１３は、それぞれレンズ１４における互いに対向する両側に位置する。第１記憶合金線１４と第２記憶合金線１５は、何れもレンズ１３の上方に吊り下げられ、第１記憶合金線１４は、一端が第１側板１１２の第１底板１１１から離間する側に接続され、他端がレンズ１３の第２側板１１２に近接する側に接続され、第２記憶合金線１５は、一端が第２側板１１３の第１底板１１１から離間する側に接続され、他端がレンズ１３の第１側板１１２に近接する側に接続され、第１記憶合金線１４と第２記憶合金線１５は、何れもレンズ１３の光軸Ｓに垂直に設けられている。
【００２１】
具体的に、レンズ１３にずれが発生したときには、レンズ１３が第１台座１２の初期位置に存在し、第１記憶合金線１４と第２記憶合金線１５が弛緩状態である。レンズ１３が第１側板１１２へまたは第２側板１１３へずれたときには、レンズ１３が第２側板１１３へずれたことを例とし、第１記憶合金線１４が長く引っ張られ、第１記憶合金線１４に電流が流れると、温度が上昇し、第１記憶合金線１４は、自身の物理特性に応じて、長さが短くなり、レンズ１３を初期位置にプールバックし、レンズ１３の光学防振を図り、これによってレンズ１３の結像品質を向上させる。
【００２２】
従来技術よりも、本実施例は、第１記憶合金線１４と第２記憶合金線１５が通電されて変形してレンズ１３を駆動して第１側板１１２と第２側板１１３の間で往復移動させることで光学防振を図り、ボイスコイルと磁性鋼との相互作用によって駆動するという従来の方式を必要とせず、磁界干渉問題がなく、安定性が高く、また、当該駆動の設置方式では、構造が簡単であり、実装が便利であり、ホール素子を別途追加する必要がなく、特殊な環境における使用信頼性が高い。そして、磁石と防振コイルとが連携する従来の防振構造よりも、本実施例は、第１記憶合金線１４及び第２記憶合金線１５を採用するため、重量及びコストを著しく低減可能である。また、磁石と防振コイルとが連携する従来の防振構造よりも、本実施例で採用される第１記憶合金線１４と第２記憶合金線１５とに僅かな電流を流すだけでレンズ１３を引っ張り可能であり光学防振の効果を奏し、消費電力を効果的に低減する。
【００２３】
理解できるように、第１記憶合金線１４と第２記憶合金線１５は、間隔を空けて平行に設置されることに限定されない。例えば、第１記憶合金線１４と第２記憶合金線１５は、同軸に設置（第１記憶合金線１４は、一端が第１側板１１２に接続され、他端がレンズ１３の中間位置に接続され、同理にて、第２記憶合金線１５は、一端が第２側板１１３に接続され、他端がレンズ１３の中間位置に接続される）設置されてもよい。第１記憶合金線１４及び第２記憶合金線１５がレンズ１３を引っ張って第１側板１１２と第２側板１１３とに対して往復移動させることで光学防振を実現できればよい。更に、第１記憶合金１３の一端は、第１側板１１２の第１底板１１１から離間する側に接続されることに限定されない。第１記憶合金１３は、一端が第１側板１１２の任意の位置に接続されてもよく、他端がレンズ１３に接続され、第１記憶合金１３は、レンズ１３を引っ張って第１側板１１２と第２側板１１３の間で移動させ得るような十分な長さを有せばよい。
【００２４】
好ましくは、本実施例において、第１記憶合金線１４と第２記憶合金線１５は、何れもニッケルチタン合金材料で作製される。第１記憶合金線１４と第２記憶合金線１５とに通電される電量を制御することにより、第１記憶合金線１４と第２記憶合金線１５とで発生する熱を制御可能であるため、第１記憶合金線１４と第２記憶合金線１５との短縮量を制御することができる。
【００２５】
説明すべきことは、第１記憶合金線１４及び第２記憶合金線１５は、自身の物理特性により、長さが短くなると、その抵抗値が変化する。したがって、検出回路及びチップを設置することでレンズにずれが発生したか否かを検出してもよい。具体的に、検出回路は、第１記憶合金線１４と第２記憶合金線１５とを流れた電流の大きさを検出し、信号をチップへ伝達し、チップは、検出された電流信号に基づいて第１記憶合金線１４と第２記憶合金線１５との電気抵抗値を算出し、チップは、第１記憶合金線１４及び第２記憶合金線１５の電気抵抗値と長さとの対応関係に基づいて、第１記憶合金線１４と第２記憶合金線１５との長さの値を取得し、これによって第１記憶合金線１４と第２記憶合金線１５とが短くなったか否か、および短縮量がどのぐらいかを判断し、かえって、第１記憶合金線１４と第２記憶合金線１５とを流れる電流の大きさを制御することで、レンズ１３を比較的に精確的に初期位置にプールバックする。
【００２６】
本実施例の改良方式の１つとして、レンズユニット１００は、２つの第１接続端子１６と、２つの第２接続端子１７とを更に備え、２つの第１接続端子１６のうち、一方の第１接続端子１６が第１側板１１２の第１底板１１１から離間する側に接続され、他方の第１接続端子１６がレンズ１３の第２側板１１３に近接する側に接続され、第１記憶合金線１４の両端がそれぞれ２つの第１接続端子１６に接続され、２つの第２接続端子１７のうち、一方の第２接続端子１７が第２側板１１３の第１底板１１１から離間する側に接続され、他方の第２接続端子１７がレンズ１３の第１側板１１２に近接する側に接続され、第２記憶合金線１５の両端がそれぞれ２つの第２接続端子１７に接続されている。第１接続端子１６と第２接電端子１７との設置により、第１記憶合金線１４と第１側板１１２との接続、第２記憶合金線１５と第２側板１１３との接続が便利になるとともに、第１記憶合金線１４及び第２記憶合金線１５と外部電源との接続が便利になる。
【００２７】
理解できるように、レンズユニット１００に第１接続端子１６及び第２接続端子１７が設置されなくてもよい。第１記憶合金線１４と第２記憶合金線１５は、他の接続方式でレンズ１３と第１側板１１２、第２側板１１３との間に固定されてもよい。
【００２８】
本実施例の改良方式の１つとして、レンズユニット１０は、レンズ１３と第１台座１１との間に設けられる第１ボール１８を更に備える。第１ボール１８の設置により、レンズ１３が第１側板１１２と第２側板１１３の間で移動するときの摩擦力は低減可能であり、レンズ１３の移動はより円滑になり、光学防振反応はより鋭くなる。
【００２９】
本実施例の改良方式の１つとして、第１側板１１２と第２側板１１３との何れにも第１凹溝１１５が設けられ、レンズ１３の互いに対向する両側には、互いに逆方向で第１凸出部１３１が突設され、２つの第１凸出部１３１は、それぞれ２つの第１凹溝１１５に嵌設され、各第１凹溝１１５は、光軸Ｓの方向に沿って間隔を空けて設けられる第１側面１１６及び第２側面１１７を含み、各第１凸出部１３１は、第１側面１１６に対向設置される第１表面１３２と、第２側面１１７に対向設置される第２表面１３３とを含み、第１側面１１６には、第１ガイド溝１１８が凹設され、第１表面１３２には、第１ガイド溝１１８に位置合わせるように設置される第２ガイド溝１３４が凹設され、第１ガイド溝１１８と第２ガイド溝１３４の間には、少なくとも１つの第１ボール１８が嵌設されている。第１ガイド溝１１８は、光軸Ｓの方向に直交しつつ、第１底板１１１に平行に設置されている。
【００３０】
本実施例の改良方式の１つとして、第１ガイド溝１１８は、２つ設けられ、２つの第１ガイド溝１１８は、第１底板１１１に垂直な方向において、間隔を空けて互いに平行に設置されている。第２ガイド溝１３４は、２つ設けられ、２つの第２ガイド溝１３４は、第１底板１１１に垂直な方向において、間隔を空けて互いに平行に設置され、２つの第２ガイド溝１３４は、それぞれ２つの第１ガイド溝１１８に位置合わせるように設けられ、各グループの第１ガイド溝１１８と第２ガイド溝１３４の前には、少なくとも１つの第１ボール１８が嵌設されている。２グループの第１ガイド溝１１８、第２ガイド溝１３４の設置により、レンズ１３の運転は、より安定になる。
【００３１】
本実施例の改良方式の１つとして、第１凸出部１３１は、第２表面１３３の所在する側において、第１磁性鋼１３５が設けられ、第１凹溝１１５は、第２側面１１７において、第１磁性鋼１３５に位置合わせるするように設置されて第１磁性鋼１３５と磁力吸着を行うための第２磁性鋼１１９が設けられている。第１磁性鋼１３５及び第２磁性鋼１１９は、主に、第１記憶合金線１４又は第２記憶合金線１５と連携して、ずれたレンズ１３を初期位置に復帰させる。最初の時には、レンズ１３にずれが発生しておらず、第１磁性鋼１３５と第２磁性鋼１１９とが互いに位置合わせるように設置され、レンズ１３にずれが発生したとき、例えば、レンズ１３が第２側板１１３へずれたときには、第１記憶合金線１４が長く引っ張られ、第１磁性鋼１３５と第２磁性鋼１１９とが互いにずれており、第１記憶合金線１４が通電されて収縮しつつ、第１磁性鋼１３５と第２磁性鋼１１９との間の互いの磁力作用に合わせてレンズ１３を初期位置に復帰させる。
【００３２】
図１、４−７を参照すると、本実施例の改良方式の１つとして、レンズユニット１００は、第２台座１９、第３記憶合金線２０、第４記憶合金線２１、第１弾性部材２２および第２弾性部材２３を更に備え、第１台座１１は、光軸Ｓに平行な方向に沿って第２台座１９に摺動可能に取り付けられている。第２台座１９は、第２底板１９１と、第２底板１９１の一方側に設けられる第３側板１９２と、第２底板１９１の他方側に設けられる第４側板１９３とを備え、第２底板１９１、第３側板１９２および第４側板１９３は、第２取付溝１９４を形成するように取り囲み、第１台座１１は、第２取付溝１９４に取り付けられ、第３側板１９２は、第１側板１１２のレンズ１２から離間する側に位置し、第４側板１９３は、第２側板１１３のレンズから離間する側に位置する。第３記憶合金線２０は、光軸Ｓに平行な方向に沿って延在し、且つ両端がそれぞれ第１側板１１２、第３側板１９２に接続され、第１弾性部材２２は、光軸Ｓの方向に沿って延在し、且つ第１側板１１２と第３側板１９２との間に圧縮され、第４記憶合金線２１は、光軸Ｓの方向に沿って延在し、且つその両端がそれぞれ第２側板１１３、第４側板１９３に接続され、第２弾性部材２３は、光軸Ｓに平行な方向に沿って延在し、且つ第２側板１１３と第４側板１９３との間に圧縮されている。
【００３３】
最初の時には、第１台座１１が第２台座１９の初期位置に存在し、即ち、レンズ１３がプリセットの初期位置に存在する。合焦を行うときには、第３記憶合金線２０と第４記憶合金線２１とに電流を流し、第３記憶合金線２０と第４記憶合金線２１とが発熱し、長さが収縮することで第１台座１１を引っ張って第２台座１３に対してレンズ１３の光軸Ｓの方向において変位させ、レンズ１３の合焦を実現する。合焦が完了した後、電流が切断され、復帰構造は、レンズ１３を第１台座１１とともに初期位置に復帰させる。
【００３４】
従来技術よりも、本実施例は、第３記憶合金線２０と第４記憶合金線２１が通電されて変形して第１弾性部材２２および第２弾性部材２３と連携してレンズ１３を駆動して光軸方向に前後移動させることでレンズ１３のオートフォーカスを図り、ボイスコイルと磁性鋼との相互作用によって駆動するという従来の方式を必要とせず、磁界干渉問題がなく、安定性が高く、また、当該駆動の設置方式では、構造が簡単であり、実装が便利であり、ホール素子を別途追加する必要がなく、特殊な環境における使用信頼性が高い。そして、磁石と防振コイルとが連携する従来の防振構造よりも、本実施例は、第３記憶合金線２０及び第４記憶合金線２１を採用するため、重量及びコストを著しく低減可能である。また、磁石と防振コイルとが連携する従来の防振構造よりも、本実施例で採用される第３記憶合金線２０と第４記憶合金線２１とに僅かな電流を流すだけで第１台座１１を引っ張って変位させ得るため、オートフォーカスの効果を奏し、消費電力を効果的に低減する。
【００３５】
本実施例の改良方式の１つとして、レンズユニット１００は、２つの第３接続端子２４と２つの第４接続端子２５とを更に備え、２つの第３接続端子２１は、それぞれ第１側板１１２と第３側板１９２とに取り付けられ、第３記憶合金線２０の両端は、それぞれ２つの第３接続端子２４に接続され、２つの第４接続端子２５は、それぞれ第２側板１１３と第４側板１８２とに取り付けられ、第４記憶合金線２１の両端は、それぞれ２つの第４接続端子２５に接続されている。
【００３６】
本実施例の改良方式の１つとして、レンズユニット１００は、第１台座１１と第２台座１９との間に設けられる第２ボール２６を更に備え、第１台座１１は、第２ボール２６を介して第２台座１９に摺動自在に接続されている。
【００３７】
本実施例の改良方式の１つとして、第１側板１１２の外側壁には、光軸Ｓ方向に沿って延在する第３ガイド溝１２０が設けられ、第２側板１１３の外側壁には、光軸Ｓ方向に沿って延在する第４ガイド溝１２１が設けられ、第３ガイド溝１２０と第４ガイド溝１２１とに、それぞれ少なくとも１つの第２ボール２６が嵌設されている。
【００３８】
図６−９を参照すると、本実施例の改良方式の１つとして、第１側板１１２の外側壁１２２には、第３側板１９２を収容するための第１収容溝１２３が凹設され、第３側板１９２の第２底板１９１から離間する側には、第３磁性鋼１９５が設けられ、第１側板１１２の第３磁性鋼１９５に対向する面には、第３磁性鋼１９５に位置合わせるように設置されて第３磁性鋼１９５と磁力吸着を行うための第４磁性鋼１２４が設けられている。第３磁性鋼１９５及び第４磁性鋼１２４は、主に、第１弾性部材２２と連携して、ずれた第１台座１１を初期位置に復帰させる。最初の時には、第１台座１１にずれが発生しておらず、第１台座１１が第２台座１９の初期位置に存在し、第３磁性鋼１９５と第４磁性鋼１２４とが互いに位置合わせるように設置され、合焦を行うときには、第４記憶合金線２１が通電されて収縮し、第１台座１１が第２台座１９に対してずれを生じると、第３磁性鋼１９５と第４磁性鋼１２４とが互いにずれており、第１弾性部材２２が圧縮状態となり、合焦が完了した後、電流が切断され、第１弾性部材２２は、自身の弾性力を利用しながら、第３磁性鋼１９５と第４磁性鋼１２４との間の互いの磁力作用に合わせて第１台座１１を初期位置に復帰させる。
【００３９】
本実施例の改良方式の１つとして、第２側板１１３の外側壁１２５には、第４側板１９３を収容するための第２収容溝１２６が凹設され、第４側板１９３の第２底板１９１から離間する側には、第５磁性鋼１９６が設けられ、第２側板１１３の第５磁性鋼１９６に対向する面には、第５磁性鋼１９６に位置合わせるように設置されて第５磁性鋼１９６と磁力吸着を行うための第６磁性鋼１２７が設けられている。第５磁性鋼１９６と第６磁性鋼１２７は、主に第２弾性部材２３と連携して、ずれた第１台座１１を初期位置に復帰させる。最初の時には、第１台座１１にずれが発生しておらず、第１台座１１が第２台座１９の初期位置に存在し、第５磁性鋼１９６と第６磁性鋼１２７とが互いに位置合わせるように設置され、合焦を行うときには、第４記憶合金線２１が通電されて収縮し、第１台座１１が第２台座１９に対してずれを生じると、第５磁性鋼１９６と第６磁性鋼１２７とが互いにずれており、第２弾性部材２３が圧縮状態となり、合焦が完了した後、電流が切断され、第２弾性部材２３は、自身の弾性力を利用しながら、第５磁性鋼１９６と第６磁性鋼１２７との間の互いの磁力作用に合わせて第１台座１１を初期位置に復帰させる。
【００４０】
上述したのは、単に本発明の実施形態である。当業者にとって、本発明の創造的構想を逸脱しない前提で、種々の改良も行ってもよいが、これらは、いずれも本発明の保護範囲に含まれると理解されるべきである。
【図１】
2021520510.tif 000003
【図２】
2021520510.tif 000004
【図３】
2021520510.tif 000005
【図４】
2021520510.tif 000006
【図５】
2021520510.tif 000007
【図６】
2021520510.tif 000008
【図７】
2021520510.tif 000009
【図８】
2021520510.tif 000010
【図９】
2021520510.tif 000011
【国際調査報告】
2021520510.tif 000012
2021520510.tif 000013
2021520510.tif 000014
2021520510.tif 000015